【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
組成式MmAaBbOoNn:Zｚ（但し、M元素はII価の価数をとる１種以上の元素であり、A元素はIII価の価数をとる１種以上の元素であり、B元素はIV価の価数をとる１種以上の元素であり、Oは酸素であり、Nは窒素であり、Z元素は付活剤であり、n=2/3m+a+4/3b-2/3oであり、m=a=b=1であり、o、nはいずれも０とはならず、0＜o≦mであり、0.0001≦ｚ/(ｍ＋ｚ)≦0.5である）で表記される蛍光体の主たる生成相と、生成相の構造と別に存在する酸素とを含み、
前記M元素はMg、Ca、Sr、Ba、Znから選択される１種以上の元素であり、前記A元素はAl又はその一部をB（ホウ素）及びGaから選択される１種以上で置換したものであり、前記B元素はSi又はその一部をGeで置換したものであり、前記Z元素はEuであり、
前記生成相の構造と別に存在する酸素を、前記蛍光体の主たる生成相の質量に対して３ｗｔ％以下含んでいることを特徴とする蛍光体。
【請求項２】
前記生成相の構造と別に存在する酸素は、前記生成相中の酸素よりも多いことを特徴とする請求項１に記載の蛍光体。
【請求項３】
前記生成相の構造と別に存在する酸素の濃度は、１．６ｗｔ％以上であることを特徴とする請求項１又は２に記載の蛍光体。
【請求項４】
前記A元素はAlであり、B元素はSiであることを特徴とする請求項１から３のいずれかに記載の蛍光体。
【請求項５】
２４〜３０Ｗｔ％のＣａと、１７〜２１ｗｔ％のＡｌと、１８〜２２ｗｔ％のＳｉと、１〜１５ｗｔ％の酸素と、１５〜３３Ｗｔ％の窒素と、０．０１〜１０Ｗｔ％のＥｕとを含み、
発光スペクトルにおけるピーク波長が、６００ｎｍ〜６６０ｎｍの範囲にあり、
発光の色度ｘが０．５〜０．７、発光の色度ｙが０．３〜０．５の範囲にあることを特徴とする請求項１から４のいずれかに記載の蛍光体。
【請求項６】
前記蛍光体は、粉末状であることを特徴とする請求項１から５のいずれかに記載の蛍光体。
【請求項７】
前記粉末状の蛍光体の平均粒度が20μｍ以下、0.1μｍ以上であることを特徴とする請求項６に記載の蛍光体。
【請求項８】
請求項１から７のいずれかに記載の蛍光体と、所定波長の光を発する発光部とを有し、前記所定波長の光の一部を励起源とし、前記蛍光体を前記所定波長と異なる波長で発光させることを特徴とする光源。
【請求項９】
前記所定波長とは、250ｎｍ〜600ｎｍのいずれかの波長であることを特徴とする請求項８に記載の光源。
【請求項１０】
請求項１から７のいずれかに記載の蛍光体と、所定波長の光を発する発光部とを有し、前記所定波長の光の一部を励起源とし、前記蛍光体を前記所定波長と異なる波長で発光させることを特徴とするＬＥＤ。
【請求項１１】
前記所定波長とは、250ｎｍ〜600ｎｍのいずれかの波長であることを特徴とする請求項１０に記載のＬＥＤ。
【手続補正２】
【補正対象書類名】明細書
【補正対象項目名】発明の名称
【補正方法】変更
【補正の内容】
【発明の名称】蛍光体並びに光源およびＬＥＤ
【手続補正３】
【補正対象書類名】明細書
【補正対象項目名】００１４
【補正方法】変更
【補正の内容】
【００１４】
すなわち、上述の課題を解決するための第１の構成は、組成式MmAaBbOoNn:Zｚ（但し、M元素はII価の価数をとる１種以上の元素であり、A元素はIII価の価数をとる１種以上の元素であり、B元素はIV価の価数をとる１種以上の元素であり、Oは酸素であり、Nは窒素であり、Z元素は付活剤であり、n=2/3m+a+4/3b-2/3oであり、m=a=b=1であり、o、nはいずれも０とはならず、0＜o≦mであり、0.0001≦ｚ/(ｍ＋ｚ)≦0.5である）で表記される蛍光体の主たる生成相と、生成相の構造と別に存在する酸素とを含み、
前記M元素はMg、Ca、Sr、Ba、Znから選択される１種以上の元素であり、前記A元素はAl又はその一部をB（ホウ素）及びGaから選択される１種以上で置換したものであり、前記B元素はSi又はその一部をGeで置換したものであり、前記Z元素はEuであり、
前記生成相の構造と別に存在する酸素を、前記蛍光体の主たる生成相の質量に対して３ｗｔ％以下含んでいることを特徴とする蛍光体である。
【手続補正４】
【補正対象書類名】明細書
【補正対象項目名】００１５
【補正方法】変更
【補正の内容】
【００１５】
第２の構成は、前記生成相の構造と別に存在する酸素は、前記生成相中の酸素よりも多いことを特徴とする第１の構成の蛍光体である。
【手続補正５】
【補正対象書類名】明細書
【補正対象項目名】００１６
【補正方法】変更
【補正の内容】
【００１６】
第３の構成は、前記生成相の構造と別に存在する酸素の濃度は、１．６ｗｔ％以上であることを特徴とする第１又は２の構成に記載の蛍光体である。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
第４の構成は、前記A元素はAlであり、B元素はSiであることを特徴とする第１から第３のいずれかの構成に記載の蛍光体である。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
第５の構成は、２４〜３０Ｗｔ％のＣａと、１７〜２１ｗｔ％のＡｌと、１８〜２２ｗｔ％のＳｉと、１〜１５ｗｔ％の酸素と、１５〜３３Ｗｔ％の窒素と、０．０１〜１０Ｗｔ％のＥｕとを含み、発光スペクトルにおけるピーク波長が、６００ｎｍ〜６６０ｎｍの範囲にあり、発光の色度ｘが０．５〜０．７、発光の色度ｙが０．３〜０．５の範囲にあることを特徴とする第１から第４の構成のいずれかに記載の蛍光体である。
【手続補正１２】
【補正対象書類名】明細書
【補正対象項目名】００２３
【補正方法】変更
【補正の内容】
【００２３】
第６の構成は、前記蛍光体は、粉末状であることを特徴とする第１から第５の構成のいずれかに記載の蛍光体である。
【手続補正１３】
【補正対象書類名】明細書
【補正対象項目名】００２４
【補正方法】変更
【補正の内容】
【００２４】
第７の構成は、前記粉末状の蛍光体の平均粒度が20μｍ以下、0.1μｍ以上であることを特徴とする第６の構成に記載の蛍光体である。
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】変更
【補正の内容】
【００２９】
第８の構成は、第１から７のいずれかの構成に記載の蛍光体と、所定波長の光を発する発光部とを有し、前記所定波長の光の一部を励起源とし、前記蛍光体を前記所定波長と異なる波長で発光させることを特徴とする光源である。
【手続補正１９】
【補正対象書類名】明細書
【補正対象項目名】００３０
【補正方法】変更
【補正の内容】
【００３０】
第９の構成は、前記所定波長とは、250ｎｍ〜600ｎｍのいずれかの波長であることを特徴とする第８の構成に記載の光源である。
【手続補正２０】
【補正対象書類名】明細書
【補正対象項目名】００３１
【補正方法】変更
【補正の内容】
【００３１】
第１０の構成は、第１から７のいずれかの構成に記載の蛍光体と、所定波長の光を発する発光部とを有し、前記所定波長の光の一部を励起源とし、前記蛍光体を前記所定波長と異なる波長で発光させることを特徴とするＬＥＤである。
【手続補正２１】
【補正対象書類名】明細書
【補正対象項目名】００３２
【補正方法】変更
【補正の内容】
【００３２】
第１１の構成は、前記所定波長とは、250ｎｍ〜600ｎｍのいずれかの波長であることを特徴とする第１０の構成に記載のＬＥＤである。
【手続補正２２】
【補正対象書類名】明細書
【補正対象項目名】００３３
【補正方法】変更
【補正の内容】
【００３３】
第１から第７の構成に係る蛍光体は、主たる生成相の構造中の酸素の含有量および／または付活剤の添加量を制御することにより発光のピーク波長を、人間の視感度の高い領域で任意に設定することができ、演色性と輝度特性とを有する赤色系の発光をおこない、紫外〜可視光（波長域250nm〜600nm）に渡る励起帯を有している。
【手続補正２３】
【補正対象書類名】明細書
【補正対象項目名】００３４
【補正方法】変更
【補正の内容】
【００３４】
異なる構成によれば、
前記Ｍ元素、Ａ元素、Ｂ元素から選択される少なくとも１つの
元素の原料として、当該元素と酸素とを有する化合物と、当該元素と窒素とを有する化合物とを準備し、
前記当該元素と酸素とを有する化合物と、当該元素と窒素とを有する化合物との両者の配合比を制御することで、ｍの値を変えることなく蛍光体の主たる生成相中の酸素量、窒素量の制御をおこなうことができる。
【手続補正２４】
【補正対象書類名】明細書
【補正対象項目名】００３５
【補正方法】変更
【補正の内容】
【００３５】
異なる構成に係る蛍光体の発光波長のシフト方法によれば、
前記Ｍ元素、Ａ元素、Ｂ元素から選択される少なくとも１つの元素の原料として、当該元素と酸素とを有する化合物と、当該元素と窒素とを有する化合物とを準備し、前記当該元素と酸素とを有する化合物と、当該元素と窒素とを有する化合物との配合により、前記蛍光体の主たる生成相に含まれる酸素濃度を制御するか、および／または、Ｚ元素の配合量を制御することで、蛍光体の輝度を保ったまま、発光波長を任意に設定できる。
【手続補正２５】
【補正対象書類名】明細書
【補正対象項目名】００３６
【補正方法】変更
【補正の内容】
【００３６】
第８から第９の構成に係る光源は、高輝度で演色性の良い発光をおこなうと共に、発光の効率が高い光源である。
【手続補正２６】
【補正対象書類名】明細書
【補正対象項目名】００３７
【補正方法】変更
【補正の内容】
【００３７】
第１０から第１１の構成に係るＬＥＤは、高輝度で演色性の良い発光をおこなうと共に、発光の効率が高いＬＥＤである。